(57)【特許請求の範囲】
【請求項１】
耳カップ（２Ｇ）とバンド（３Ｇ）とからなる骨格を有するイヤーウォーマーであって、
前記耳カップ（２Ｇ）は、前記バンドと係合するための孔（２１Ｇ）を有し、
前記バンド（３Ｇ）は、第１バンド片（４Ｇ）と第２バンド片（５Ｇ）とからなり、それぞれ、耳カップ（２Ｇ）と係合するための孔（４２Ｇ，５２Ｇ）を有し、
前記耳カップ（２Ｇ）の孔（２１Ｇ）と前記バンド片の孔（４２Ｇ，５２Ｇ）とを挿通してつなぐピン（１１Ｇ）を有するものにおいて、
前記耳カップ（２Ｇ）の孔（２１Ｇ）と前記バンド片の孔（４２Ｇ，５２Ｇ）の何れか一方の周囲に放射状の畝又は溝（２４）を設け、前記耳カップ（２Ｇ）の孔（２１Ｇ）と前記バンド片の孔（４２Ｇ，５２Ｇ）の他方に前記畝又は溝（２４）に係合する少なくとも１本の畝（５７）又は溝を設け、
前記バンド（３Ｇ）が、
一端に設けた短孔（４３Ｇ）と、前記短孔（４３Ｇ）よりも耳カップ側に設けられた長孔（４４Ｇ）を有する第１バンド片（４Ｇ）と、
一端に設けたＴ字型突起（５６）と、前記Ｔ字型突起（５６）よりも耳カップ側に設けられた長孔（５４Ｇ）を有する第２バンド片（５Ｇ）と、
前記第１バンド片の短孔（４３Ｇ）と前記第２バンド片の長孔（５４Ｇ）を挿通してつなぐ第１ピン（６Ｇ）とを有し、
前記第２バンド片（５Ｇ）の前記Ｔ字型突起（５６）が前記第１バンド片の長孔（４４Ｇ）と係合しながらスライド可能であり、
前記第１バンド片（４Ｇ）の長孔（４４Ｇ）に隣接した位置に幅方向に複数の畝状突起（４７）を設け、この畝状突起（４７）が前記第２バンド片（５Ｇ）の末端の前記Ｔ字型突起（５６）により形成される空間（５８）と係合可能としたことを特徴とするイヤーウォーマー。
【請求項２】
前記第１，第２バンド片の上下辺に凹凸（４１Ｇ，５１Ｇ）を設けて、バンドの長さ調節をするとき指をかけやすくした請求項１記載のイヤーウォーマー。
【請求項３】
前記凹凸（４１Ｇ，５１Ｇ）が窪みに指が嵌る大きさの波形である請求項２記載のイヤーウォーマー。
【請求項４】
前記耳カップ（２Ｇ）を形成する骨格が、外側リング及び内側リングからなる二重リングを有し、この二重リングが前記バンドの接合部近傍で一体化している請求項１ないし３の何れかに記載のイヤーウォーマー。
【発明の詳細な説明】
【技術分野】
【０００１】
本発明はイヤーウォーマーに関し、特にイヤーウォーマーのバンド長さ調節具に関する。
【背景技術】
【０００２】
イヤーウォーマーはさまざまな構造のものが公知である。たとえば、特許第３７９８７０８号では、頭部を巡るバンド片の長さを調節可能とする発明を開示している。この従来技術では、２つのバンド片からなり、それぞれのバンド片は、一端に突出部、他端に通路を有するイヤーウォーマーのバンド長さ調節具を開示している。各通路は、他方のバンド片を摺動させるスロット部を有している。
【発明の開示】
【発明が解決しようとする課題】
【０００３】
特許文献１では、各バンド片のスロット部に他方のバンド片を通過させる必要がある。この組み立て作業はかなり面倒であり、そのため、製造コストを上昇させていた。
【０００４】
本発明は、組立がきわめて容易なバンドの長さ調節機構を有するイヤーウォーマーを提供することを目的とする。
【課題を解決するための手段】
【０００５】
本発明のイヤーウォーマーのバンド長さ調節具は、請求項１では、耳カップとバンドからなる骨格を有するイヤーウォーマーにおいて、前記バンドが、一端に設けた短孔と、前記短孔よりも耳カップ側に設けられた長孔を有する第１バンド片と、一端に設けた短孔と、前記短孔よりも耳カップ側に設けられた長孔を有する第２バンド片と、前記第１バンド片の短孔と前記第２バンド片の長孔を挿通してつなぐ第１ピンと、前記第２バンド片の短孔と前記第１バンド片の長孔を挿通してつなぐ第２ピンと、からなることを特徴とする。
【０００６】
本発明のイヤーウォーマーのバンド長さ調節具は、請求項３では、耳カップとバンドとからなる骨格を有するイヤーウォーマーにおいて、前記バンドが、一端に設けた短孔と、前記短孔よりも耳カップ側に設けられた長孔を有する第１バンド片と、一端に設けたＴ字型突起と、前記Ｔ字型突起よりも耳カップ側に設けられた長孔を有する第２バンド片と、前記第１バンド片の短孔と前記第２バンド片の長孔を挿通してつなぐ第１ピンとを有し、前記第２バンド片の前記Ｔ字型突起が前記第１バンド片の長孔と係合しながらスライド可能であることを特徴とする。
【０００７】
本発明のイヤーウォーマーのバンド長さ調節具は、請求項１０では、耳カップとバンドからなるイヤーウォーマーにおいて、前記バンドが、一端に設けた短孔と、前記短孔よりも耳カップ側に設けられた長孔を有する第１バンド片と、一端に設けた短孔と、前記短孔よりも耳カップ側に設けられた長孔を有する第２バンド片と、前記第１，第２バンド片の中間に位置するとともに、両端に短孔を有し、これら短孔の間に少なくとも１つの長孔を有する中間バンド片と、前記第１バンド片の短孔と前記中間バンド片の長孔を挿通してつなぐ第１ピンと、前記第２バンド片の短孔と前記中間バンド片の長孔を挿通してつなぐ第２ピンと、前記第１バンド片の長孔と前記中間バンド片の短孔を挿通してつなぐ第３ピンと、前記第２バンド片の長孔と前記中間バンド片の短孔を挿通してつなぐ第４ピンと、からなることを特徴とする。
【０００８】
本発明のイヤーウォーマーは、請求項１１では、耳カップとバンドとからなる骨格を有するイヤーウォーマーにおいて、前記耳カップは、前記バンドと係合するための孔を有し、前記バンドは、第１バンド片と第２バンド片とからなり、それぞれ、耳カップと係合するための孔を有し、前記耳カップの孔と前記バンド片の孔とを挿通してつなぐ第３ピンを有するものにおいて、前記耳カップの孔と前記バンド片の孔の何れか一方の周囲に放射状の畝又は溝を設け、前記耳カップの孔と前記バンド片の孔の他方に前記畝又は溝に係合する少なくとも１本の畝又は溝を設けたことを特徴とする。
【０００９】
本発明のイヤーウォーマーは、耳カップとバンドとからなる骨格と、この骨格を覆う生地からなるイヤーウォーマーであって、前記バンド長さ調節具を有することを特徴とする。
【発明の効果】
【００１０】
本発明請求項１では、第１，第２バンド片は、第１ピンが第１バンド片の長孔の距離だけスライド可能であり、第２ピンが第２バンド片の長孔の距離だけスライド可能である。したがって、第１，第２バンド片を一体化させたとき、このバンドは、各バンド片の長孔が一致したときが最も短く、長孔を完全にずらしたときが最も長くなる。すなわち長孔１つ分だけ長さ調節が可能である。しかも、各バンド片は２カ所のピンで係合支持されているため上下方向にぶれることもない。しかも、各バンド片を結合するのはピンであるので、簡単に組み立てることができる。
【００１１】
本発明請求項３では、第１，第２バンド片の何れかにＴ字型突起を１個使用するので、第１，第２ピンのうち１個のピンを省略することが可能となり、経済的である。
【００１２】
本発明請求項１０では、さらに中間バンドを設けて、バンド片を３本としたので、長さ調節距離を伸ばすことができる。
【００１３】
本発明請求項１１では、バンド末端に対して耳カップを段階的に回転させることができるので、耳カップの位置の微調整が可能となった。さらに、耳カップを適当な位置に調整した後でも、畝と溝の係合が維持されるので、その適所を保持し続けることができる。
【発明を実施するための最良の形態】
【００１４】
本発明で使用する第１，第２ピンとしては、取付け前は２分割されているが、組み合わせるといわゆる地獄嵌めとなり、容易に分離はできないものが好ましい。このピンを使用すればバンド片の組立や修理が容易になる。
【００１５】
本発明で使用する第１，第２バンド片の上下辺には凹凸を設けて、バンドの長さ調節をするとき指をかけやすくして、滑りにくくすることが好ましい。この凹凸は、窪みに指が嵌る程度の波形であることが好ましい。
【００１６】
第１，第２バンド片の長孔の上下幅は均一としてもよいし、波形を付けて幅に大小を設けてもよい。幅に大小を設けたとき、狭幅のところでピンが抵抗を受けるため、各バンドのスライド移動距離が段階的に調節できるという効果が生まれる。
【００１７】
第１，第２バンド片の長孔の長さは３〜１０ｃｍ程度が普通であるが、短孔付近から耳カップ中央付近まで２０ｃｍ近く伸ばすこともできる。そのように長く伸ばすことにより、各バンドをスライドさせて極限まで短縮したとき、コンパクトに畳まれるという効果が生まれる。
【００１８】
また、一方のバンド片の長孔に隣接した位置に幅方向に畝状の突起を少なくとも１本設けると共に、他方のバンド片の長孔に隣接した位置に幅方向に複数の溝を設け、前記突起と前記溝を係合可能とすることもできる。このようにすることにより、前記突起と前記溝を係合したときに位置が安定化するので、各バンドのスライド移動距離が段階的に調節できるという効果が生まれる。
【００１９】
同じ目的で、前記第１バンド片の長孔に隣接した位置に幅方向に複数の畝状突起を設け、この畝状突起が前記第２バンド片の末端の前記Ｔ字型突起により形成される空間と係合可能とすることもできる。
【００２０】
以下、添付の図面に基づき本発明の実施態様を説明する。
【図面の簡単な説明】
【００２１】
【図１】本発明の実施例１に係るイヤーウォーマー１を装着した状態を示す人物の側面図である。
【図２】イヤーウォーマーの骨格状態を示す斜視図である。
【図３】バンドの分解斜視図である
【図４】バンドと耳カップの係合方法を示す斜視図である。
【図５】（２）は実施例２、（ｂ）は実施例３を示す。バンドを平坦化して示した正面図である。
【図６】本発明の実施例４を示す分解斜視図である。
【図７】本発明の実施例５を示す分解斜視図である。
【図８】本発明の実施例６を示す分解正面図である。
【図９】本発明の実施例６を示す。（ａ）は片側のバンド片の側面図、（ｂ）は、各バンドを組み合わせた状態の側面図である。
【図１０】本発明の実施例７を示す斜視図である。
【図１１】本発明の実施例８に係る全体骨格の斜視図である。
【図１２】本発明の実施例８を示す分解斜視図である。
【図１３】（ａ）（ｂ）は、本発明の実施例８において、バンド調節によりバンドの長さを変えた２状態の断面図である。
【図１４】本発明の実施例８において、片方のバンドの、（ａ）平面図、（ｂ）左側面図、（ｃ）正面図、（ｄ）右側面図、（ｅ）縦断面図である。
【図１５】本発明の実施例８において、他方のバンドの、（ａ）平面図、（ｂ）左側面図、（ｃ）正面図、（ｄ）右側面図、（ｅ）縦断面図である。図１６は、耳カップの（ａ）平面図、（ｂ）正面図、（ｃ）右側面図、（ｄ）左側面図である。
【図１６】耳カップの（ａ）平面図、（ｂ）正面図、（ｃ）右側面図、（ｄ）左側面図である。
【図１７】本発明の実施例９のイヤーウォーマーの横断面図である。
【実施例１】
【００２２】
以下、添付の図面に基づき本発明の実施例を説明する。
【００２３】
図１は、本発明の実施例１に係るイヤーウォーマー１を装着した状態を示す人物の側面図である。
【００２４】
図２は、イヤーウォーマー１の骨格状態を示す斜視図である。耳カップ２は、バンド３の両端に取り付けられるが、ここでは見やすくするために、片方のみを示している。イヤーウォーマー１は、この骨格を柔らかい生地で覆ってなる。
【００２５】
図３はバンド３の分解斜視図である。この図に示すように、バンド３は２本のバンド片４，５からなり、図２に示すように、組立状態で一体となる。２本のバンド片４，５は相互にスライド可能であって、それにより長さ調節が可能である。
【００２６】
２本のバンド片４，５は同一形状であるが、組み立てるときには、左右対称になるように、片方を反転させて用いる。以後、「第１バンド片４」と「第２バンド片５」と呼ぶ。各バンド片４，５は上下辺に凹凸４１，５１が設けられている。
【００２７】
第１バンド片４は一端に耳カップ２取付け用の短孔４２（第１短孔）を有する。多端には係合ピン挿入用の短孔４３（第２短孔）を有する。第２短孔４３の近くには、バンド側に長孔４４が設けられている。
【００２８】
第２バンド片５は一端に耳カップ２取付け用の短孔５２（第１短孔）を有する。多端には係合ピン挿入用の短孔５３（第２短孔）を有する。第２短孔５３の近くには、バンド側に長孔５４が設けられている。
【００２９】
係合ピン６，７は２組使用する。以後、「第１ピン６」、「第２ピン７」と呼ぶ。各ピンは、取付け前は２分割６１，６２；７１，７２されているが、組み合わせるといわゆる地獄嵌めとなり、容易に分離はできないもので、それ自体公知である。
【００３０】
組立状態では、第１バンド片４の長孔４４と第２バンド片５の第２短孔５２に第１ピン６を挿通させ、第２バンド片５の長孔５４と第１バンド片４の第２短孔４２に第２ピン７を挿通させる。
【００３１】
第１，第２バンド片４，５は、第１ピン６が第１バンド片４の長孔４４の距離だけスライド可能であり、第２ピン７が第２バンド片５の長孔５４の距離だけスライド可能である。したがって、第１，第２バンド片４，５を一体化させたとき、このバンド３は、各バンド片の長孔４４，５４が一致したときが最も短く、長孔を完全にずらしたときが最も長くなる。すなわち長孔１つ分だけ長さ調節が可能である。しかも、各バンド片４，５は２カ所のピンで係合支持されているため上下方向にぶれることもない。
【００３２】
前記したバンド片上下辺の凹凸４１，５１は、バンドの長さ調節をするとき指をかけやすくして、滑りにくくする効果がある。
【００３３】
図４はバンド３と耳カップ２の係合方法を示す斜視図である。耳カップ２は、バンド３の両端に取り付けられるが、ここでは見やすくするために、片方のみを示している。
【００３４】
各バンド側に耳カップ取付け用の短孔４２，５２があることは前記した。耳カップ２側にもバンド取付用に短孔２１が設けられている。これらの短孔同士もピン１１で結合される。
【００３５】
耳カップ２の短孔２１の周囲の外側表面には放射状に８本の窪み２２が設けられている。一方、バンド３側には、短孔４２の周囲の内側表面に１本の畝状突起４５が設けられている。耳カップ２はバンド３に対して３６０°回転可能であり、バンドの畝状突起４５が耳カップの窪み２２に係合したとき、それぞれの位置が安定する。このように耳カップ２がバンド３に対して３６０°回転可能であることは、不使用時に耳カップをたたんで小さくすることに役立つ。
【００３６】
なお、後に実施例８（図１２）で示すように、耳カップの短孔の周囲の外側表面には畝状突起を設け、バンド側の短孔の周囲の内側表面に複数本の窪みを設けることも可能である。
【実施例２】
【００３７】
図５（ａ）は、本発明の実施例２である。分かりやすくするために、実際は湾曲しているバンドを平面化して示している。
【００３８】
この実施例２では、バンド３Ａは３本のバンド片４Ａ，５Ａ，８からなる。左右バンド片４Ａ，５Ａは実施例１と同様である。中間バンド片８は、左右端部に係合用短孔８１，８２を有し、これらの短孔に挟まれて２つの長孔８３，８４がある。３本のバンドを結合させるためにピンを４本使用する。
【００３９】
３本のバンド片４Ａ，５Ａ，８は次のように結合される。
（ａ）ピン６Ａが左バンド片４Ａの短孔４３Ａと中間バンド片８の長孔８３をつなぐ。
（ｂ）ピン９が左バンド片４Ａの長孔４４Ａと中間バンド片８の短孔８１をつなぐ。
（ｃ）ピン７Ａが右バンド片５Ａの短孔５３Ａと中間バンド片８の長孔８４をつなぐ。
（ｄ）ピン１０が右バンド片５Ａの長孔５４Ａと中間バンド片８の短孔８２をつなぐ。
【実施例３】
【００４０】
図５（ｂ）は、本発明の実施例３である。分かりやすくするために、実際は湾曲しているバンドを平面化して示している。
【００４１】
実施例２では中間バンド片８Ｂの長孔は２本設けていたが、実施例３では、それをつないで１本の長孔８３Ｂにしていることだけが相違する。
【００４２】
３本のバンド片４Ｂ，５Ｂ，８Ｂは次のように結合される。
（ａ）ピン６Ｂが左バンド片４Ｂの短孔４３Ｂと中間バンド片８Ｂの長孔８３Ｂをつなぐ。
（ｂ）ピン９Ｂが左バンド片４Ｂの長孔４４Ｂと中間バンド片８Ｂの短孔８１Ｂをつなぐ。
（ｃ）ピン７Ｂが右バンド片５Ｂの短孔５３Ｂと中間バンド片８Ｂの長孔８３Ｂをつなぐ。
（ｄ）ピン１０Ｂが右バンド片５Ｂの長孔５４Ｂと中間バンド片８Ｂの短孔８２Ｂをつなぐ。
【００４３】
左右バンド片４Ｂ，５Ｂが衝突しないように、左右バンド片は中間バンド片８Ｂの表側と裏側に配置する。
【実施例４】
【００４４】
図６は、本発明の実施例４を示す分解斜視図である。実施例１（図３）とよく似ているので、同じ機能を有する部品には、符号に「Ｃ」を付して同じ番号を使用し、その説明を省略する。
【００４５】
実施例４が実施例１と異なるのは、バンド片４Ｃの長孔４４Ｃの上下辺が波形になっていて、そのため幅に大小があることである。ピン７Ｃが長孔４４Ｃを通過するとき、狭幅の部分では抵抗を受けるので、スライド移動距離を段階的に調節することができる。
【００４６】
図示しないが、もう一方のバンド片５Ｃの長孔５４Ｃの上下辺にも波形を設けることができる。
【実施例５】
【００４７】
図７は、本発明の実施例５を示す分解斜視図である。実施例１（図３）とよく似ているので、同じ機能を有する部品には、符号に「Ｄ」を付して同じ番号を使用し、その説明を省略する。
【００４８】
実施例５が実施例１と異なるのは、一方のバンド片５Ｄの長孔５４Ｄに隣接した位置に幅方向に畝状の突起５５Ｄを１本設けると共に、他方のバンド片４Ｄの長孔４４Ｄに隣接した位置に幅方向に複数の溝４６Ｄを設けていることである。
【００４９】
２本のバンド片４Ｄ，５Ｄを互いにスライドさせると、畝状の突起５５Ｄが溝４６Ｄに嵌ったときに位置が安定するが、それ以外の位置では不安定である。したがって、スライド移動距離を段階的に調節することができる。
【実施例６】
【００５０】
図８及び図９は、本発明の実施例６を示す。図８は分解正面図、図９（ａ）は片側のバンド片の側面図、図９（ｂ）は、各バンドを組み合わせた状態の側面図である。図８では、分かりやすくするため、バンド部分４Ｅ，５Ｅを平坦化して描いている。実施例１と同じ機能を有する部品には、符号には「Ｅ」を付して同じ番号を使用し、その説明を省略する。
【００５１】
この実施例では、耳カップ２Ｅはバンド片４Ｅ，５Ｅと一体化しており、回転はできない。しかも、バンド片４Ｅ，５Ｅの各長孔４４Ｅ，５４Ｅが耳カップ中央付近まで伸びている。片側のバンド片５Ｅについて側面図を示せば、図９（ａ）の通りである。２本のバンド片４Ｅ，５Ｅを各長孔４４Ｅ，５４Ｅに沿ってスライドさせて極限まで短縮化すると、図９（ｂ）に示すように、コンパクトに畳まれる。
【実施例７】
【００５２】
図１０は、本発明の実施例７を示す斜視図である。実施例１（図４）とよく似ているので、同じ機能を有する部品の符号に「Ｆ」を付して同じ番号を使用し、その説明を省略する。
【００５３】
実施例７が実施例１と異なるのは、各バンド片４Ｆ，５Ｆの上下辺の凹凸が大きな波形となっていることである。このようにすることにより、指が波形のくぼみに嵌るので、各バンド片４Ｆ，５Ｆのスライド移動が容易になる。
【実施例８】
【００５４】
図１１〜１６は実施例８である。図１１は全体骨格の斜視図である。図１２は  分解斜視図である。図１３（ａ）（ｂ）はバンド調節によりバンドの長さを変えた２状態の断面図である。図１４は片方のバンドの、（ａ）平面図、（ｂ）左側面図、（ｃ）正面図、（ｄ）右側面図、（ｅ）縦断面図である。図１５は他方のバンドの、（ａ）平面図、（ｂ）左側面図、（ｃ）正面図、（ｄ）右側面図、（ｅ）縦断面図である。図１６は、耳カップの（ａ）平面図、（ｂ）正面図、（ｃ）右側面図、（ｄ）左側面図である。
【００５５】
実施例８が実施例１〜７と異なるのは、次の点である。
【００５６】
（１）例えば、実施例１では、図３に示すように、内外２本のバンド片４，５にはそれぞれ短孔４３，５３と長孔４４，４５があった。実施例８では、内外２本のバンド片４Ｇ，５Ｇのうち、内側に位置するバンド片５Ｇにおいて短孔とそれに嵌合するピンの組合せをＴ字型突起５６に置き換えている。図１４（ａ）（ｂ）に最も明瞭に現れているように、このＴ字型起５６は、バンド片５の末端に外方に向けて設けられ、短径の首部と楕円形に広がった頂部を有する。首部が、他方のバンド片４Ｇの長孔４４Ｇに沿ってスライド可能である。頂部の直径は長孔の幅よりも大きいので、Ｔ字型起５６は外れることはない。
【００５７】
この実施例８では、製造上の都合により、外側のバンド片４Ｇの短孔とそれに嵌合するピン６Ｇの組合せはＴ字型突起に置き換えていない。Ｔ字型突起は、頂部をひねって他方のバンド片の長孔に差し込む必要があるので、内外バンド片ともにそのような構成を取るのが困難であるからである。しかし、使用材料によっては、そのような置き換えは不可能ではない。
【００５８】
この実施例８では実施例１〜７と比べて、少なくともピンの使用を１個所減らすことができ、経済的である。
【００５９】
（２）バンド長さの段階的調節は、実施例５（図７）では、内側のバンド片５Ｄの長孔５４Ｄに隣接した位置に設けられた１本の幅方向に畝状の突起５５Ｄと、他方のバンド片４Ｄの長孔４４Ｄに隣接した位置に設けられた幅方向に複数の溝４６Ｄの係脱によるものであった。実施例８では、図１１〜１３に最もよく示されるように、内側バンドのＴ字型突起５６の首部の両側に位置する空間５８と、外側バンドの外表面に、長孔に隣接して設けられた幅方向に畝状の複数突起４７の係脱による。
【００６０】
（３）バンド末端に対する耳カップの段階的回転は、第１実施例（図４）では、耳カップ２の外側表面に設けられた放射状の８本の窪み２２と、バンド３側の、１本の畝状突起４５の係脱によるものであった。実施例８では、図１２及び図１６に最もよく示されるように、耳カップ２Ｇ基端２３に設けられた放射状の８本の窪み２４と、バンド３Ｇ側の、２本の突起５７（図１４（ｅ））の係脱による。
【００６１】
（４）実施例８においては、耳カップ２Ｇの形状（図１６参照）及びピンの形状１１Ｇ，６Ｇ（図１２及び図１３参照）が実施例１〜７と大きく異なるが、これは主として意匠的な相違である。
【実施例９】
【００６２】
図１７は、実施例９のイヤーウォーマーの横断面図である。
【００６３】
実施例９は実施例８とよく似ている。異なるのは、実施例８の第１バンド片と第２バンド片が逆転していることである。すなわち、Ｔ字型起４８は、バンド片４Ｈの末端に内方に向けて設けられ、短径の首部と楕円形に広がった頂部を有する。首部が、他方のバンド片５Ｈの長孔に沿ってスライド可能である。頂部の直径は長孔の幅よりも大きいので、Ｔ字型起４８は外れることはない。この実施例９でも実施例１〜７と比べて、少なくともピンの使用を１個所減らすことができ、経済的である。
【００６４】
バンド長さの段階的調節は、外側バンド４ＨのＴ字型突起４８の首部の両側に位置する空間と、内側バンド５Ｈの外表面に、長孔に隣接して設けられた幅方向に畝状の複数突起５９の係脱による。
【先行技術文献】
【特許文献】
【００６５】
【特許文献１】特許第３７９８７０８号
【符号の説明】
【００６６】
１     イヤーウォーマー
２     耳カップ
２１   短孔
３，３Ａ，３Ｂ，３Ｃ，３Ｄ，３Ｆ   バンド
４１，４１Ｃ，４１Ｄ，４１Ｆ  凹凸部分
４２，５２    短孔
４，４Ｃ，４Ｄ，４Ｅ，４Ｆ，４Ｇ  第１バンド片
４３，４３Ｃ，４３Ｄ，４３Ｅ  短孔
４４，４４Ｃ，４４Ｄ，４４Ｅ  長孔
４５   畝状突起
４６Ｄ  溝
４８    Ｔ字型突起
５，５Ｃ，５Ｄ，５Ｅ，５Ｆ，５Ｇ  第２バンド片
５１，５１Ｃ，５１Ｄ，５１Ｆ  凹凸部分
５３，５３Ｃ，５３Ｄ，５３Ｅ    短孔
５４，５４Ｃ，５４Ｄ，５４Ｅ，５４Ｇ    長孔
５５Ｄ  畝状突起
５６  Ｔ字型突起
５９  畝状突起
６，６Ａ，６Ｂ，６Ｃ，６Ｄ，６Ｅ，６Ｆ    ピン
８     中間バンド片
８Ｂ   中間バンド片
９，９Ｂ      ピン
１０，１０Ｂ  ピン
６３Ａ，６３Ｂ       短孔
８１，８２    係合用短孔
８３，８４，８３Ｂ   短孔
【図１】
0005271400.tif 000002
【図２】
0005271400.tif 000003
【図３】
0005271400.tif 000004
【図４】
0005271400.tif 000005
【図５】
0005271400.tif 000006
【図６】
0005271400.tif 000007
【図７】
0005271400.tif 000008
【図８】
0005271400.tif 000009
【図９】
0005271400.tif 000010
【図１０】
0005271400.tif 000011
【図１１】
0005271400.tif 000012
【図１２】
0005271400.tif 000013
【図１３】
0005271400.tif 000014
【図１４】
0005271400.tif 000015
【図１５】
0005271400.tif 000016
【図１６】
0005271400.tif 000017
【図１７】
0005271400.tif 000018